(57)【要約】【課題】ＩＣチップ破壊機能を有する媒体読取装置を小型化および低廉化できるようにする。【解決手段】ＩＣチップを備えた媒体８の挿入を受け付けて装置内に搬送し、その媒体に光を照射して透過した光をイメージデータとしてスキャナ５、６で読取り、読取った媒体８のイメージデータから算出したＩＣチップの位置座標に基づいてＩＣチップの位置を特定し、そのＩＣチップをＩＣチップ分離機構７で打ち抜いて媒体から分離するようにした。【選択図】        図１
2009110118.tif 000002
【特許請求の範囲】
【請求項１】
媒体に備えられたＩＣチップの位置を特定し、そのＩＣチップをＩＣチップ分離機構で打ち抜いて媒体から分離する媒体読取装置において、
ＩＣチップを備えた媒体の挿入を受け付けて装置内に搬送する媒体搬送部と、
前記媒体搬送部で搬送された媒体に光を照射する光源およびその光源から照射され、該媒体を透過した光をイメージデータとして読取る読取素子を有する媒体読取部と、
前記媒体読取部が読取った媒体のイメージデータからＩＣチップの位置座標を算出するＩＣチップ座標算出手段とを設け、
前記ＩＣチップ座標算出手段が算出したＩＣチップの位置座標に基づいてＩＣチップの位置を特定するようにしたことを特徴とする媒体読取装置。
【請求項２】
請求項１の媒体読取装置において、
前記媒体読取部の光源を、媒体を搬送するための搬送路を挟んで対向配置された媒体のおもて面を読取るための読取スキャナおよび媒体の裏面を読取るための読取スキャナのいずれか一方の読取スキャナの光源とし、また前記媒体読取部の読取素子を、前記光源とした読取スキャナの他方の読取スキャナの読取素子としたことを特徴とする媒体読取装置。
【請求項３】
請求項１の媒体読取装置において、
前記媒体読取部の読取素子を、媒体の一面を読取るための読取スキャナの読取素子とし、また前記媒体読取部の光源を、前記読取素子とした読取スキャナと媒体を搬送するための搬送路を挟んで対向配置された照明としたことを特徴とする媒体読取装置。
【請求項４】
請求項３の媒体読取装置において、
前記ＩＣチップ分離機構を、媒体に印を付加するマーカ機能を備えたマーカ付ＩＣチップ分離機構とし、前記ＩＣチップ座標算出手段が算出したＩＣチップの位置座標に前記マーカ付ＩＣチップ分離機構が印を付加した後、前記読取スキャナで媒体のイメージデータを読み取り、そのイメージデータから媒体に付加した印の位置座標が前記ＩＣチップの位置座標から所定の範囲内に存在することを確認するようにしたことを特徴とする媒体読取装置。
【請求項５】
請求項４の媒体読取装置において、
前記媒体に付加する印を、前記マーカ付ＩＣチップ分離機構が媒体を打ち抜く領域に全部が含まれるようにしたことを特徴とする媒体読取装置。
【請求項６】
請求項５の媒体読取装置において、
前記マーカ付ＩＣチップ分離機構で媒体を打ち抜いた後、前記読取スキャナで媒体のイメージデータを読み取り、そのイメージデータから媒体に付加した印が存在しないことを確認するようにしたことを特徴とする媒体読取装置。
【請求項７】
請求項４の媒体読取装置において、
前記媒体に付加する印を、ＩＣチップの機能を破壊するために必要な領域としたことを特徴とする媒体読取装置。
【請求項８】
請求項７の媒体読取装置において、
前記マーカ付ＩＣチップ分離機構で媒体を打ち抜いた後、前記読取スキャナで媒体のイメージデータを読み取り、そのイメージデータから媒体に付加した印の一部または全部が欠損していることを確認するようにしたことを特徴とする媒体読取装置。
【発明の詳細な説明】
【技術分野】
【０００１】
本発明は、ＩＣチップを備えた自動車運転免許証やカード等の媒体を読取る媒体読取装置に関し、特に媒体に備えられたＩＣチップを破壊する機能を有する媒体読取装置に関する。
【背景技術】
【０００２】
近年、大容量の記憶手段や無線通信手段を有するＩＣチップを備えたテレホンカード、ＩＤカード、キャッシュカード、パスポートや自動車運転免許証等の媒体が普及している。このＩＣチップを備えた媒体は有効期限が到来すると新たな媒体に更新し、使用されなくなった古い媒体のＩＣチップは情報の漏洩や不正使用を防止するために破壊するようにしている。
【０００３】
このような状況の下、従来の媒体読取装置は、金属センサでカードに備えたＩＣチップの位置を特定し、そのＩＣチップを物理的または電気的に破壊し、カードから分離するようにしている（例えば、特許文献１参照）。
また、カードの券面を損なうことなくＩＣチップに押圧力を加え、または高電圧を印加して破壊するようにしているものもある（例えば、特許文献２参照）。
【特許文献１】特開２００２−１５２８７号公報（段落「００５０」〜段落「００５１」、図５）
【特許文献２】特開２００４−１１８４３８号公報（段落「００５０」〜段落「００５２」、図３）
【発明の開示】
【発明が解決しようとする課題】
【０００４】
しかしながら、上述した従来の技術においては、ＩＣチップの位置を特定するための金属センサは、一般的に低周波の電磁波を金属に照射することで電磁誘導による渦電流を発生させ、その渦電流が発生する磁場を検出することで金属を検知するようにしている。このような金属センサは渦電流により発生した磁場を検知してＩＣチップの有無を検知することは容易であるが、ＩＣチップの位置を特定するためには磁場が発生している場所を検知する必要があり、そのために装置が大型化し、また装置を製造するための費用が高価なものになるという問題がある。
【０００５】
本発明は、このような問題を解決することを課題とする。
【課題を解決するための手段】
【０００６】
そのため、本発明は、媒体に備えられたＩＣチップの位置を特定し、そのＩＣチップをＩＣチップ分離機構で打ち抜いて媒体から分離する媒体読取装置において、ＩＣチップを備えた媒体の挿入を受け付けて装置内に搬送する媒体搬送部と、前記媒体搬送部で搬送された媒体に光を照射する光源およびその光源から照射され、該媒体を透過した光をイメージデータとして読取る読取素子を有する媒体読取部と、前記媒体読取部が読取った媒体のイメージデータからＩＣチップの位置座標を算出するＩＣチップ座標算出手段とを設け、前記ＩＣチップ座標算出手段が算出したＩＣチップの位置座標に基づいてＩＣチップの位置を特定するようにしたことを特徴とする。
【発明の効果】
【０００７】
このようにした本発明は、媒体に備えられたＩＣチップを破壊する機能を有する媒体読取装置を小型化および低廉化することができるという効果が得られる。
【発明を実施するための最良の形態】
【０００８】
以下、図面を参照して本発明による媒体読取装置の実施例を説明する。
【実施例１】
【０００９】
図１は第１の実施例における媒体読取装置の構成を示す概略側面図、図２は第１の実施例における媒体読取装置の構成を示すブロック図である。
図１において、１は媒体読取装置であり、ＩＣチップを備えた自動車運転免許証、パスポート、ＩＣカード（例えば、テレホンカード、ＩＤカード、キャッシュカード、クレジットカード）等の媒体８のおもて面および裏面のイメージデータを読取るものである。本実施例では、媒体読取装置１はＩＣチップを備えた自動車運転免許証のイメージデータを読取るものとして説明する。
【００１０】
２は媒体吸入排出口であり、操作者の操作により媒体８の挿入を受け付ける媒体挿入口であるとともに挿入された媒体８を操作者に返却するために媒体８を排出する媒体排出口である。この媒体吸入排出口２は図示しないセンサにより、媒体８が挿入されたことおよび排出されたことを検知することができるようになっている。
３は搬送路であり、媒体吸入排出口２に挿入された媒体８を搬送するためのものである。この搬送路３は媒体吸入排出口２から挿入された媒体８を装置内部に搬送し、またその媒体８を媒体吸入排出口２へ搬送することができるようになっている。
【００１１】
４（４ａ、４ｂ、４ｃ）は搬送ローラであり、周面が当接するように搬送路３に対向配置された１対のローラである。この搬送ローラ４は、図示しないモータ等の駆動手段で回転させることにより媒体８を挟持して搬送路３を搬送することができるようになっている。
本実施例では、搬送路３に搬送ローラ４ａ、搬送ローラ４ｂ、搬送ローラ４ｃが配置され、その搬送ローラ４ａ、搬送ローラ４ｂ、搬送ローラ４ｃは媒体吸入排出口２から挿入された媒体８を図中矢印Ａが示す方向に順次受け渡しながら装置内部へ搬送し、また装置内部の媒体８を図中矢印Ａが示す方向の反対方向に順次受け渡しながら媒体吸入排出口２へ搬送するものとする。
【００１２】
５はおもて面読取スキャナであり、装置内部に搬送された媒体８の一面であるおもて面のイメージデータを読取るスキャナである。このおもて面読取スキャナ５は、搬送ローラ４ａと搬送ローラ４ｂとの間の搬送路３の上側に配置され、媒体８に光を照射する光源、その光源から照射された光を媒体８が反射する反射光を読取るＣＣＤ（Ｃｈａｒｇｅ  Ｃｏｕｐｌｅｄ  Ｄｅｖｉｃｅｓ）素子等の読取素子から構成されている。
【００１３】
６は裏面読取スキャナであり、装置内部に搬送された媒体８の一面である裏面のイメージデータを読取るスキャナである。この裏面読取スキャナ６は、搬送ローラ４ａと搬送ローラ４ｂとの間の搬送路３の下側に配置され、媒体８に光を照射する光源、その光源から照射された光を媒体８が反射する反射光を読取るＣＣＤ素子等の読取素子から構成されている。
【００１４】
また、おもて面読取スキャナ５および裏面読取スキャナ６は媒体８が搬送される搬送路３を挟んで対向配置され、おもて面読取スキャナ５の光源が発した光を裏面読取スキャナ６の読取素子で読取ることができ、また裏面読取スキャナ６の光源が発した光をおもて面読取スキャナ５の読取素子で読取ることができるようにもなっている。
なお、おもて面読取スキャナ５および裏面読取スキャナ６は、搬送路３を搬送しながら媒体８のイメージデータを読取るものでもよく、搬送路３に静止した媒体８のイメージデータを読取るものであってもよい。
【００１５】
７はＩＣチップ分離機構であり、装置内部に搬送された媒体８に備えられたＩＣチップを媒体８から分離するためのものである。このＩＣチップ分離機構７は、搬送ローラ４ｂと搬送ローラ４ｃとの間に配置され、搬送された媒体８の任意の座標位置に移動させることができる円筒状等の刃部を備え、その刃部を図示しないモータやソレノイド等の駆動手段で媒体８に押圧することにより、ＩＣチップを媒体８から打ち抜き、分離させることができるようになっている。
【００１６】
図２において、１０は上位装置であり、パーソナルコンピュータ等である。この上位装置１０は、液晶ディスプレイ等の表示部、キーボードやマウス等の入力部、媒体読取装置１との間で情報の送受信を行う通信部、半導体メモリや磁気ディスク等の記憶部、ＣＰＵ（Ｃｅｎｔｒａｌ  Ｐｒｏｃｅｓｓｉｎｇ  Ｕｎｉｔ）等の制御部で構成されたものである。
【００１７】
媒体読取装置１の制御系は、媒体搬送部１１、媒体読取部１２、ＩＣチップ分離部１３、通信部１４、記憶部１５、制御部１６等で構成されている。
媒体搬送部１１は、図示しない駆動手段により搬送ローラ４を回転させ、媒体吸入排出口２から挿入された媒体８を搬送し、また図示しないセンサ等の媒体位置検知手段によりその媒体８の位置を検知して搬送ローラ４を停止させ、媒体８を所定の位置に搬送および停止させることができるものである。
【００１８】
媒体読取部１２は、媒体搬送部１１により搬送された媒体８のおもて面のイメージデータをおもて面読取スキャナ５で読取り、また媒体８の裏面のイメージデータを裏面読取スキャナ６で読取るものである。
また、媒体読取部１２は、おもて面読取スキャナ５および裏面読取スキャナ６の光源の発光量ならびに読取素子の受光感度を調整することができるようになっており、例えばおもて面読取スキャナ５の光源の発光量を増大させ、裏面読取スキャナ６の読取素子の受光感度を高くなるように調整することで図３に示すように媒体８およびその媒体８に備えられたＩＣチップ８１のイメージデータを読取ることができるようになっている。
【００１９】
ＩＣチップ分離部１３は、媒体搬送部１１により搬送された媒体８のＩＣチップをＩＣチップ分離機構７で分離するものである。
通信部１４は、通信回線１７を介して接続された上位装置２０との間で各種情報の送受信制御を行うものである。媒体読取装置１は、上位装置２０からの指示を受信して動作するものとし、その動作の結果を上位装置２０へ送信するものとする。
【００２０】
記憶部１５は、半導体メモリや磁気ディスク等で構成され、媒体読取装置１全体を制御するための制御プログラム（ソフトウェア）および媒体読取部１２で読取った媒体８のおもて面および裏面のイメージデータ等を記憶するものである。
制御部１６は、ＣＰＵ等で構成され、記憶部１５に記憶された制御プログラム（ソフトウェア）に基づいて媒体搬送部１１、媒体読取部１２、ＩＣチップ分離部１３、通信部１４、および記憶部１５等の媒体読取装置１全体を制御するものである。
【００２１】
なお、媒体読取装置１は、媒体８に備えられたＩＣチップに記憶された情報を読取るＩＣリーダ部を有するものであってもよい。
上述した構成の作用について説明する。
まず、挿入された媒体のおもて面および裏面を読取る媒体読取処理を図４の第１の実施例における媒体読取処理を示すフローチャートの図中Ｓで表すステップにしたがって説明する。
【００２２】
なお、以下に説明する各実施例における各部の動作は、図示しないメモリや磁気ディスク等の記憶手段に格納されたプログラム（ソフトウェア）に基づいて図示しない中央処理装置等の制御手段により制御される。
Ｓ１ａ：上位装置２０は媒体読取装置１へ挿入された媒体８のおもて面および裏面のイメージデータを読取るスキャナモードで動作することを指示する通知を送信する。
【００２３】
Ｓ２ａ：スキャナモードで動作することを指示する通知を受信した媒体読取装置１の制御部１６はスキャナモードで動作することを記憶部１５に記憶させ、以降の動作をスキャナモードで動作させる。
Ｓ３ａ：媒体読取装置１の制御部１６の指示により媒体搬送部１１は媒体吸入排出口２から媒体８が挿入されることを待機する。
【００２４】
Ｓ４ａ：媒体搬送部１１が図示しないセンサにより媒体８が媒体吸入排出口２から挿入されたことを検知すると制御部１６の指示により媒体搬送部１１は挿入された媒体８をおもて面読取スキャナ５および裏面読取スキャナ６で読取ることができる位置まで搬送させて媒体８を装置内に取り込んだことを上位装置２０へ通知する。
Ｓ５ａ：媒体８を装置内に取り込んだことの通知を受信した上位装置２０は取り込んだ媒体８のおもて面および裏面のイメージデータを読取ることを指示するスキャン指示を媒体読取装置１へ通知する。
【００２５】
Ｓ６ａ：スキャン指示を受信した媒体読取装置１の制御部１６の指示により媒体搬送部１１は媒体８を装置の奥側に搬送し、媒体読取部１２は搬送される媒体８のおもて面および裏面のイメージデータをおもて面読取スキャナ５および裏面読取スキャナ６で読取り（イメージスキャン）、読取ったイメージデータを記憶部１５に記憶させる。
Ｓ７ａ：媒体８のおもて面および裏面のイメージデータを読取ると媒体読取装置１の制御部１６はそのイメージデータを上位装置２０へ送信する。
【００２６】
Ｓ８ａ：なお、媒体搬送部１１はおもて面読取スキャナ５および裏面読取スキャナ６より奥の退避位置まで媒体８を搬送し、そこで停止させるものとする。
Ｓ９ａ：一方、上位装置２０は媒体読取装置１から送信されるイメージデータの受信を待機している。
Ｓ１０ａ：上位装置２０は、媒体８のおもて面および裏面のイメージデータを受信すると、そのイメージデータの大きさや画質等が良好なものか否かを判定し、その結果を媒体読取装置１へ通知する。
【００２７】
Ｓ１１ａ：イメージデータの判定結果を受信した媒体読取装置１の制御部１６は、その判定結果が良好であることを示すものと判定したとき処理をＳ１２ａへ移行し、一方、不良であることを示すものと判定したとき処理をＳ６ａへ移行させて再び媒体８のおもて面および裏面のイメージデータを読取るものとする。
なお、所定の回数を超えても判定結果が良好にならない場合、媒体８のおもて面および裏面のイメージデータを読取ることなく異常終了させるものとする。
【００２８】
Ｓ１２ａ：イメージデータの判定結果が良好である場合、媒体読取装置１の制御部１６の指示により媒体搬送部１１は媒体８を媒体吸入排出口２から排出し、媒体８を排出したことを上位装置２０へ通知して媒体読取処理を終了する。
次に、挿入された媒体のＩＣチップを破壊するＩＣチップ破壊処理を図５の第１の実施例におけるＩＣチップ破壊処理を示すフローチャートの図中Ｓで表すステップにしたがって説明する。
【００２９】
Ｓ１ｂ：上位装置２０は媒体読取装置１へ挿入された媒体８のＩＣチップを破壊するＩＣチップ破壊モードで動作することを指示する通知を送信する。
Ｓ２ｂ：ＩＣチップ破壊モードで動作することを指示する通知を受信した媒体読取装置１の制御部１６はＩＣチップ破壊モードで動作することを記憶部１５に記憶させ、また媒体読取部１２はおもて面読取スキャナ５の光源の発光量を増大させ、裏面読取スキャナ６の読取素子の受光感度を高くなるように調整して以降の動作をＩＣチップ破壊モードで動作させる。
【００３０】
Ｓ３ｂ、Ｓ４ｂ：図４におけるＳ３ａ、Ｓ４ａと同様なのでその説明を省略する。
Ｓ５ｂ：媒体８を装置内に取り込んだことの通知を受信した上位装置２０は取り込んだ媒体８のイメージデータを読取ることを指示するスキャン指示を媒体読取装置１へ通知する。
Ｓ６ｂ：スキャン指示を受信した媒体読取装置１の制御部１６の指示により媒体搬送部１１は媒体８を装置の奥側に搬送し、媒体読取部１２は搬送される媒体８におもて面読取スキャナ５の光源が発光する強力な光を照射し、その媒体８が透過した僅かな光を高感度に設定した裏面読取スキャナ６の読取素子でイメージデータとして読取り（イメージスキャン）、読取ったイメージデータを記憶部１５に記憶させる。
【００３１】
このイメージデータは、図３に示すように媒体８の内部に封入されたＩＣチップ８１が光を透過し難いことから、ＩＣチップ８１が存在する部位は明度が低い（黒い）ものとなる。
Ｓ７ｂ：媒体８のイメージデータを読取ると媒体読取装置１の制御部１６はそのイメージデータを上位装置２０へ送信する。
【００３２】
Ｓ８ｂ：なお、媒体搬送部１１はおもて面読取スキャナ５および裏面読取スキャナ６より奥の退避位置まで媒体８を搬送し、そこで停止させるものとする。
Ｓ９ｂ：一方、上位装置２０は媒体読取装置１から送信されるイメージデータの受信を待機している。
Ｓ１０ｂ：ＩＣチップ座標算出手段としての上位装置２０は、媒体８のイメージデータを受信すると、そのイメージデータからＩＣチップの座標情報を算出し、その結果を媒体読取装置１へ通知する。
【００３３】
ここで、上位装置２０は、媒体８のイメージデータからＩＣチップが存在する明度の低い部位を抽出し、その媒体８のイメージデータにおける抽出した部位の中心の座標をＩＣチップの座標情報として算出する。この座標情報は、例えば図３に示す媒体８のイメージデータの頂点８２を基準とし、１画素を１単位としたＸ、Ｙ座標である。
Ｓ１１ｂ：媒体読取装置１は上位装置２０から送信されるＩＣチップの座標情報の受信を待機している。
【００３４】
Ｓ１２ｂ：ＩＣチップの座標情報を受信した媒体読取装置１の制御部１６の指示によりＩＣチップ分離部１３は、そのＩＣチップの座標情報にしたがってＩＣチップ分離機構７を移動させ、ＩＣチップ分離機構７の刃部を媒体８に押圧してＩＣチップを媒体８から打ち抜き、分離する。
Ｓ１３ｂ：ＩＣチップを媒体８から打ち抜き、分離すると媒体読取装置１の制御部１６の指示により媒体搬送部１１は媒体８を媒体吸入排出口２から排出し、媒体８を排出したことを上位装置２０へ通知してＩＣチップ破壊処理を終了する。
【００３５】
このように媒体読取装置１を構成するおもて面読取スキャナ５と裏面読取スキャナ６を媒体８が搬送される搬送路３を挟んで対向配置するとともにおもて面読取スキャナ５の光源の発光量を増大させ、裏面読取スキャナ６の読取素子の受光感度を高くなるように調整して媒体８のイメージデータを取得するようにしたことにより、媒体８のＩＣチップの位置を光学的に検出することができるようになる。
【００３６】
なお、本実施例では、おもて面読取スキャナ５の光源および裏面読取スキャナ６の読取素子で媒体８のイメージデータを取得するようにしたが、裏面読取スキャナ６の光源およびおもて面読取スキャナ５の読取素子で媒体８のイメージデータを取得するようにしてもよい。
すなわち、媒体を搬送するための搬送路を挟んで対向配置された媒体のおもて面を読取るためのおもて面読取スキャナ５および媒体の裏面を読取るための裏面読取スキャナ６のいずれか一方の読取スキャナの光源とし、また光源とした読取スキャナの他方の読取スキャナの読取素子で媒体８のイメージデータを取得する。
【００３７】
以上説明したように、第１の実施例では、おもて面読取スキャナ５と裏面読取スキャナ６を媒体８が搬送される搬送路３を挟んで対向配置するとともにおもて面読取スキャナ５の光源の発光量を増大させ、裏面読取スキャナ６の読取素子の受光感度を高くなるように調整して媒体８のイメージデータを取得するようにしたことにより、媒体８のＩＣチップの位置を光学的に検出することができるようになり、媒体読取装置１を小型化および低廉化することができるという効果が得られる。
【実施例２】
【００３８】
第２の実施例の構成は、第１の実施例における裏面読取スキャナ６を裏面照明に置き換えたものであり、図６の第２の実施例における媒体読取装置の構成を示す概略側面図に基づいて説明する。なお、上述した第１の実施例と同様の部分は、同一の符号を付してその説明を省略する。
図６において、６１は裏面照明であり、装置内部に搬送された媒体８の一面である裏面に光を照射する光源である。この裏面照明６１は、搬送ローラ４ａと搬送ローラ４ｂとの間の搬送路３の下側に配置された媒体８を照射する光源で構成され、搬送される媒体８の裏面に裏面照明６１が発光する強力な光を照射し、その媒体８を透過した僅かな光を高感度に設定したおもて面読取スキャナ５の読取素子でイメージデータとして読取り、ＩＣチップの位置を判別することができるようになっている。
【００３９】
また、図２における媒体読取部１２は、媒体搬送部１１により搬送された媒体８のおもて面のイメージデータをおもて面読取スキャナ５で読取るものである。
この媒体読取部１２は、おもて面読取スキャナ５読取素子の受光感度および裏面照明６１の発光量を調整することができるようになっており、裏面照明６１の発光量を増大させ、おもて面読取スキャナ５の読取素子の受光感度を高くなるように調整することで図３に示すように媒体８およびその媒体８に備えられたＩＣチップ８１のイメージデータを読取ることができるようになっている。
【００４０】
上述した構成の作用について説明する。
挿入された媒体のおもて面を読取る媒体読取処理は、図４に示すフローチャートと同様であるが以下のステップが第１の実施例と異なり、そのステップを説明する。なお、Ｓ１ａ〜Ｓ３ａ、Ｓ９ａ〜Ｓ１２ａは第１の実施例と同様なのでその説明を省略する。
Ｓ４ａ：媒体搬送部１１が図示しないセンサにより媒体８が媒体吸入排出口２から挿入されたことを検知すると制御部１６の指示により媒体搬送部１１は挿入された媒体８をおもて面読取スキャナ５で読取ることができる位置まで搬送させて媒体８を装置内に取り込んだことを上位装置２０へ通知する。
【００４１】
Ｓ５ａ：媒体８を装置内に取り込んだことの通知を受信した上位装置２０は取り込んだ媒体８のおもて面のイメージデータを読取ることを指示するスキャン指示を媒体読取装置１へ通知する。
Ｓ６ａ：スキャン指示を受信した媒体読取装置１の制御部１６の指示により媒体搬送部１１は媒体８を装置の奥側に搬送し、媒体読取部１２は搬送される媒体８のおもて面のイメージデータをおもて面読取スキャナ５で読取り（イメージスキャン）、読取ったイメージデータを記憶部１５に記憶させる。
【００４２】
Ｓ７ａ：媒体８のおもて面のイメージデータを読取ると媒体読取装置１の制御部１６はそのイメージデータを上位装置２０へ送信する。
Ｓ８ａ：なお、媒体搬送部１１はおもて面読取スキャナ５より奥の退避位置まで媒体８を搬送し、そこで停止させるものとする。
次に、挿入された媒体のＩＣチップを破壊するＩＣチップ破壊処理は、図５に示すフローチャートと同様であるが以下のステップが第１の実施例と異なり、そのステップを説明する。なお、Ｓ１ｂ、Ｓ３ｂ、Ｓ５ｂ、Ｓ９ｂ〜Ｓ１３ｂは第１の実施例と同様なのでその説明を省略する。
【００４３】
Ｓ２ｂ：ＩＣチップ破壊モードで動作することを指示する通知を受信した媒体読取装置１の制御部１６はＩＣチップ破壊モードで動作することを記憶部１５に記憶させ、裏面照明６１の発光量を増大させ、おもて面読取スキャナ５の読取素子の受光感度を高くなるように調整して以降の動作をＩＣチップ破壊モードで動作させる。
Ｓ４ｂ：媒体搬送部１１が図示しないセンサにより媒体８が媒体吸入排出口２から挿入されたことを検知すると制御部１６の指示により媒体搬送部１１は挿入された媒体８をおもて面読取スキャナ５で読取ることができる位置まで搬送させて媒体８を装置内に取り込んだことを上位装置２０へ通知する。
【００４４】
Ｓ６ｂ：スキャン指示を受信した媒体読取装置１の制御部１６の指示により媒体搬送部１１は媒体８を装置の奥側に搬送し、媒体読取部１２は搬送される媒体８に裏面照明６１が発光する強力な光を照射し、その媒体８が透過した僅かな光を高感度に設定したおもて面読取スキャナ５の読取素子でイメージデータとして読取り（イメージスキャン）、読取ったイメージデータを記憶部１５に記憶させる。
【００４５】
このイメージデータは、図３に示すように媒体８の内部に封入されたＩＣチップ８１が光を透過し難いことから、ＩＣチップ８１が存在する部位は明度が低い（黒い）ものとなる。
Ｓ７ｂ：媒体８のイメージデータを読取ると媒体読取装置１の制御部１６はそのイメージデータを上位装置２０へ送信する。
【００４６】
Ｓ８ｂ：なお、媒体搬送部１１はおもて面読取スキャナ５より奥の退避位置まで媒体８を搬送し、そこで停止させるものとする。
このように媒体８が搬送される搬送路３の下側に発光源である裏面照明６１を配置し、おもて面読取スキャナ５の読取素子で媒体８のイメージデータを取得するようにしたため、発光量が大きい照明を採用することが可能になり、第１の実施例の光源では光を透過しない媒体８であってもそのイメージデータを取得することができるようになり、読取る媒体８の種類を増加させることができ、おもて面読取スキャナ５の読取素子の受光感度を高くすることに伴い発生するノイズを低減することができる。
【００４７】
なお、本実施例では、搬送路３の下側に発光源である裏面照明６１を配置し、おもて面読取スキャナ５の読取素子で媒体８のイメージデータを取得するようにしたが、搬送路３の上側に発光源である裏面照明６１を配置し、裏面読取スキャナ６の読取素子で媒体８のイメージデータを取得するようにしてもよい。
すなわち、媒体の一面（おもて面または裏面）を読取るための読取スキャナの読取素子と、その読取素子とした読取スキャナと搬送路３を挟んで対向配置された照明で媒体８のイメージデータを取得する。
【００４８】
以上説明したように、第２の実施例では、第１の実施例の効果に加え、取り扱う媒体の種類を増加させることができ、また読取ったイメージデータのノイズを低減させることができるという効果が得られる。
【実施例３】
【００４９】
第３の実施例の構成は、第２の実施例におけるＩＣチップ分離機構７を媒体８に印を付加する機能を有するマーカ付ＩＣチップ分離機構に置き換えたものであり、その構成を図７の第３の実施例における媒体読取装置の構成を示す概略側面図に基づいて説明する。なお、上述した第１の実施例および第２の実施例と同様の部分は、同一の符号を付してその説明を省略する。
【００５０】
図７において、７１はマーカ付ＩＣチップ分離機構であり、装置内部に搬送された媒体８に印を付加するとともに、媒体８に備えられたＩＣチップを媒体８から分離するためのものである。
このマーカ付ＩＣチップ分離機構７１は、搬送ローラ４ｂと搬送ローラ４ｃとの間に配置され、搬送された媒体８の任意の座標位置に移動させることができる円筒状等の刃部およびその刃部の近傍にスタンプ等のマーカ部を備え、その刃部を図示しないモータやソレノイド等の駆動手段で媒体８に押圧することにより、ＩＣチップを媒体８から打ち抜いて分離させることができるとともに刃部の内側に備えたマーカ部を図示しないモータやソレノイド等の駆動手段で媒体８に押圧することにより、媒体８の任意の座標位置に印を付加することができるようになっている。
【００５１】
また、マーカ付ＩＣチップ分離機構７１は、例えばマーカ部を円筒状等の刃部の内側に設け、刃部で媒体８が打ち抜かれる領域の内部に印を付加する点マーキング（付加された印の全部が打ち抜かれる領域に含まれる）やマーカ部を刃部の側部等の近傍に設け、そのマーカ部で印が付加された領域の一部でも欠損するとＩＣチップの機能が失われるとする領域にマーキングを施すものとする。ここで、前記、刃部はＩＣチップの大きさに対して十分小さい範囲を打ち抜ける大きさとする（例えば、ＩＣチップが５ｍｍ角の場合、刃部は５ｍｍ角以下）。
【００５２】
なお、刃部とマーカ部は独立して動作することでき、また刃部とマーカ部は上位装置２０から指定された任意の座標位置に移動させることができるように構成されている。
また、図２におけるＩＣチップ分離部１３は、マーカ付ＩＣチップ分離機構７１で媒体搬送部１１により搬送された媒体８に印を付加し、また媒体８のＩＣチップを分離するものである。
【００５３】
さらに、本実施例では、刃部とマーカ部が一体となったものとして説明するが、刃部とマーカ部が独立して移動できるように構成してもよい。
上述した構成の作用について説明する。
挿入された媒体のおもて面を読取る媒体読取処理は、第２の実施例と同様なのでその説明を省略する。
【００５４】
次に、挿入された媒体のＩＣチップを破壊するＩＣチップ破壊処理を図８の第３の実施例におけるＩＣチップ破壊処理を示すフローチャートの図中Ｓで表すステップにしたがって説明する。
Ｓ１ｃ：上位装置２０は媒体読取装置１へ挿入された媒体８のＩＣチップを破壊するＩＣチップ破壊モードで動作することを指示する通知を送信する。
【００５５】
Ｓ２ｃ：ＩＣチップ破壊モードで動作することを指示する通知を受信した媒体読取装置１の制御部１６はＩＣチップ破壊モードで動作することを記憶部１５に記憶させ、裏面照明６１の発光量を増大させ、おもて面読取スキャナ５の読取素子の受光感度を高くなるように調整して以降の動作をＩＣチップ破壊モードで動作させる。
Ｓ３ｃ：媒体読取装置１の制御部１６の指示により媒体搬送部１１は媒体吸入排出口２から媒体８が挿入されることを待機する。
【００５６】
Ｓ４ｃ：媒体搬送部１１が図示しないセンサにより媒体８が媒体吸入排出口２から挿入されたことを検知すると制御部１６の指示により媒体搬送部１１は挿入された媒体８をおもて面読取スキャナ５で読取ることができる位置まで搬送させて媒体８を装置内に取り込んだことを上位装置２０へ通知する。
Ｓ５ｃ：媒体８を装置内に取り込んだことの通知を受信した上位装置２０は取り込んだ媒体８のイメージデータを読取ることを指示するスキャン指示を媒体読取装置１へ通知する。
【００５７】
Ｓ６ｃ：スキャン指示を受信した媒体読取装置１の制御部１６の指示により媒体搬送部１１は媒体８を装置の奥側に搬送し、媒体読取部１２は搬送される媒体８に裏面照明６１が発光する強力な光を照射し、その媒体８が透過した僅かな光を高感度に設定したおもて面読取スキャナ５の読取素子でイメージデータとして読取り（イメージスキャン）、読取ったイメージデータを記憶部１５に記憶させる。
【００５８】
このイメージデータは、図３に示すように媒体８の内部に封入されたＩＣチップ８１が光を透過し難いことから、ＩＣチップ８１が存在する部位は明度が低い（黒い）ものとなる。
Ｓ７ｃ：媒体８のイメージデータを読取ると媒体読取装置１の制御部１６はそのイメージデータを上位装置２０へ送信する。
【００５９】
Ｓ８ｃ：なお、媒体搬送部１１はおもて面読取スキャナ５より奥の退避位置まで媒体８を搬送し、そこで停止させるものとする。
Ｓ９ｃ：一方、上位装置２０は媒体読取装置１から送信されるイメージデータの受信を待機している。
Ｓ１０ｃ：上位装置２０は、媒体８のイメージデータを受信すると、そのイメージデータからＩＣチップの座標情報を算出し、その結果を媒体読取装置１へ通知する。
【００６０】
ここで、上位装置２０は、媒体８のイメージデータからＩＣチップが存在する明度の低い部位を抽出し、その媒体８のイメージデータにおける抽出した部位の中心の座標をＩＣチップの座標情報として算出する。この座標情報は、例えば図３に示す媒体８のイメージデータの頂点８２を基準とし、１画素を１単位としたＸ、Ｙ座標である。
Ｓ１１ｃ：媒体読取装置１は上位装置２０から送信されるＩＣチップの座標情報の受信を待機している。
【００６１】
Ｓ１２ｃ：ＩＣチップの座標情報を受信した媒体読取装置１の制御部１６の指示によりＩＣチップ分離部１３は、そのＩＣチップの座標情報にしたがってマーカ付ＩＣチップ分離機構７１を移動させ、マーカ付ＩＣチップ分離機構７１のマーカ部を媒体８に押圧して媒体８に印を付加し、ＩＣチップの座標情報にしたがってマーキングしたことを上位装置２０へ通知する。
【００６２】
Ｓ１３ｃ：媒体８にマーキングしたことの通知を受信した上位装置２０は媒体８のイメージデータを読取ることを指示するスキャン指示を媒体読取装置１へ通知する。
Ｓ１４ｃ：スキャン指示を受信した媒体読取装置１の制御部１６の指示により媒体読取部１２は裏面照明６１を発光しないように調整し、またおもて面読取スキャナ５の読取素子は媒体８のおもて面を読取る感度に調整する。その後、媒体搬送部１１は媒体８を一旦装置の手前側の読取準備位置まで搬送した後、奥側に搬送し、媒体読取部１２は搬送される媒体８におもて面読取スキャナ５の光源が発光する光を照射し、おもて面読取スキャナ５の読取素子でイメージデータとして読取り（イメージスキャン）、読取ったイメージデータを記憶部１５に記憶させる。
【００６３】
Ｓ１５ｃ：媒体８のイメージデータを読取ると媒体読取装置１の制御部１６はそのイメージデータを上位装置２０へ送信する。
Ｓ１６ｃ：なお、媒体搬送部１１はおもて面読取スキャナ５より奥の退避位置まで媒体８を搬送し、そこで停止させるものとする。
Ｓ１７ｃ：一方、上位装置２０は媒体読取装置１から送信されるイメージデータの受信を待機している。
【００６４】
Ｓ１８ｃ：上位装置２０は、媒体８のイメージデータを受信すると、そのイメージデータから媒体８に付加されたマーキングの座標情報を算出する。
ここで、上位装置２０は、媒体８のイメージデータから媒体８に付加されたマーキングが存在する明度の低い部位を抽出し、その媒体８のイメージデータにおける抽出した部位の中心の座標を媒体８に付加されたマーキングの座標情報として算出する。この座標情報は、例えば図３に示す媒体８のイメージデータの頂点８２を基準とし、１画素を１単位としたＸ、Ｙ座標である。
【００６５】
上位装置２０は、算出したマーキングの座標情報とＩＣチップの座標情報とを比較し、マーキングの座標情報がＩＣチップの座標情報から所定の範囲内に存在することを確認する。
Ｓ１９ｃ：上位装置２０は、マーキングの座標情報がＩＣチップの座標情報から所定の範囲内に存在することを確認すると、ＩＣチップの座標情報とともにＩＣチップを分離することを指示する通知を媒体読取装置１へ送信する。
【００６６】
Ｓ２０ｃ：ＩＣチップの座標情報を受信した媒体読取装置１の制御部１６の指示によりＩＣチップ分離部１３は、そのＩＣチップの座標情報にしたがってＩＣチップ分離機構７を移動させ、ＩＣチップ分離機構７の刃部を媒体８に押圧してＩＣチップを媒体８から打ち抜き、分離する。
Ｓ２１ｃ：ＩＣチップを媒体８から打ち抜き、分離すると媒体読取装置１の制御部１６はＩＣチップを分離したことを上位装置２０へ通知する。
【００６７】
Ｓ２２ｃ〜Ｓ２６ｃ：上述したＳ１３ｃ〜Ｓ１７ｃと同様の処理を行い、ＩＣチップを分離した後の媒体８のイメージデータを読取る。
Ｓ２７ｃ：上位装置２０は、媒体８のイメージデータを受信すると、そのイメージデータから媒体８のＩＣチップが正常に分離されたこと確認し、その結果を媒体読取装置に通知する。
【００６８】
ここで、媒体８からＩＣチップが正常に分離されたことの確認は、点マーキングの場合、その点マーキングがイメージデータに存在しないこと、領域マーキングの場合、パターンマッチングや面積比較等の公知の方法でその領域マーキングの一部でも欠損していることを確認するものとする。
Ｓ２８ｃ：媒体読取装置１は上位装置２０から送信されるＩＣチップが正常に分離されたことの通知の受信を待機している。
【００６９】
Ｓ２９ｃ：正常に分離されたことの通知を受信すると媒体読取装置１の制御部１６の指示により媒体搬送部１１は媒体８を媒体吸入排出口２から排出し、媒体８を排出したことを上位装置２０へ通知してＩＣチップ破壊処理を終了する。
このように読取った媒体８のイメージデータからＩＣチップの座標情報を算出し、その座標情報に基づいて媒体８にマーキングを付加した後、さらにその媒体８のイメージデータを読取り、マーカ付ＩＣチップ分離機構７１で媒体８を打ち抜く前に、その位置を確認するようにするしたため、誤った位置を打ち抜くことがなくなる。
【００７０】
また、媒体８を打ち抜いた後、その媒体８のイメージデータを読取り、マーキングした部位が欠損していることを確認して正しくＩＣチップが打ち抜かれていることを確認するようにしたため、信頼性を向上させることができる。
以上説明したように、第３の実施例では、第１の実施例および第２の実施例の効果に加え、媒体８のＩＣチップを確実に打ち抜くことができるという効果が得られる。
【００７１】
なお、第１の実施例から第３の実施例において、媒体８のＩＣチップの座標情報および媒体８に付加されたマーキングの座標情報を上位装置２０で算出する例で説明したが、媒体読取装置１の制御部１６で行うようにしてもよい。
また、媒体８を、ＩＣチップを備えた自動車運転免許証で説明したが、それに限られることなくＩＣチップがカード基材に封入された各種ＩＣカードにも適用することができる。
【図面の簡単な説明】
【００７２】
【図１】第１の実施例における媒体読取装置の構成を示す概略側面図
【図２】第１の実施例における媒体読取装置の構成を示すブロック図
【図３】第１の実施例における媒体のイメージデータの説明図
【図４】第１の実施例における媒体読取処理を示すフローチャート
【図５】第１の実施例におけるＩＣチップ破壊処理を示すフローチャート
【図６】第２の実施例における媒体読取装置の構成を示す概略側面図
【図７】第３の実施例における媒体読取装置の構成を示す概略側面図
【図８】第３の実施例におけるＩＣチップ破壊処理を示すフローチャート
【符号の説明】
【００７３】
１    媒体読取装置
２    媒体吸入排出口
３    搬送モータ
４    搬送路
５    媒体おもて面読取スキャナ
６    媒体裏面読取スキャナ
７    ＩＣチップ分離機構
８    媒体
１１  媒体搬送部
１２  媒体読取部
１３  ＩＣチップ分離部
１４  通信部
１５  記憶部
１６  制御部
【図１】
2009110118.tif 000003
【図２】
2009110118.tif 000004
【図３】
2009110118.tif 000005
【図４】
2009110118.tif 000006
【図５】
2009110118.tif 000007
【図６】
2009110118.tif 000008
【図７】
2009110118.tif 000009
【図８】
2009110118.tif 000010